(57)【要約】【課題】不要輻射が発生するのを抑制することができるとともに、耐屈曲性に強いフレキシブル配線基板および前記フレキシブル配線基板を備えた撮像装置を提供すること。【解決手段】ＦＰＣ１は、片面に電子回路が実装可能な実装面４ａを有するとともに、実装面４ａに電子回路に接続可能な配線パターン３が形成された回路実装部４と、回路実装部４から配線パターン３と共に延在し、延在方向端部に本体回路に接続可能な接続部６が設けられた長尺部５と、回路実装部４から長尺部５と異なる方向に延在し、実装面４ａの背面に当接するように折り曲げられる折り曲げ部１０と、折り曲げ部１０に設けられたアース電極１１とを備える。【選択図】　　　図１
2004128376.tif 000002
【特許請求の範囲】
【請求項１】
片面に電子回路が実装可能な実装面を有するとともに、前記実装面に前記電子回路に接続可能な配線パターンが形成された回路実装部と、前記回路実装部から前記配線パターンと共に延在し、延在方向端部に本体回路に接続可能な接続部が設けられた長尺部と、前記回路実装部から前記長尺部と異なる方向に延在し、前記実装面の背面に当接するように折り曲げられる折り曲げ部と、前記折り曲げ部に設けられた導電性の平面部材とを有することを特徴とするフレキシブル配線基板。
【請求項２】
前記回路実装部に設けられた複数の配線パターンの一部がアース線から構成されるとともに、前記平面部材が前記アース線に接続されたアース電極から構成されることを特徴とする請求項１記載のフレキシブル配線基板。
【請求項３】
前記平板部材が前記回路実装部と略同一形状をしていることを特徴とする請求項１または請求項２記載のフレキシブル配線基板。
【請求項４】
前記折り曲げ部が前記実装面の背面に接着されることを特徴とする請求項１乃至請求項３何れかに記載のフレキシブル配線基板。
【請求項５】
前記電子回路が実装された前記回路実装部を覆う導電性のハウジングを設けたことを特徴とする請求項１乃至請求項４何れかに記載のフレキシブル配線基板。
【請求項６】
片面に電子回路が実装可能な実装面を有するとともに、前記実装面に前記電子回路に接続可能な配線パターンが形成された回路実装部、前記回路実装部から前記配線パターンと共に延在し、延在方向端部に本体回路に接続可能な接続部が設けられた長尺部、前記回路実装部から前記長尺部と異なる方向に延在し、前記実装面の背面に当接するように折り曲げられる折り曲げ部、および前記折り曲げ部に設けられた導電性の平面部材を有するフレキシブル配線基板と、前記フレキシブル配線基板の前記回路実装部に実装される撮像素子とを備えたことを特徴とする撮像装置。
【発明の詳細な説明】
【０００１】
【発明の属する技術分野】
本発明は、配線パターンが形成され、不要輻射を抑制することができるフレキシブル配線基板および撮像装置に関する。
【０００２】
【従来の技術】
フレキシブル配線基板（以下、ＦＰＣという）には、両面に配線パターンが形成された両面ＦＰＣと片面に配線パターンが形成された片面ＦＰＣがあり、このＦＰＣは、その薄さや屈曲性の良さ等からデジタルカメラやコンピュータ機器等の様々な機器で使用されている。
【０００３】
中でも比較的規模の大きい回路を形成する場合には両面ＦＰＣが用いられることが多いが、この両面ＦＰＣは、非導電性材料の両面に導体を貼付しているため、製造が面倒である上に値段も高価であり、しかも、多くの屈曲を繰り返すうちに破断等が生じやすくて耐屈曲性に弱いという欠点がある。
【０００４】
このため、両面ＦＰＣに比べて比較的製造が容易で値段も安く、屈曲を繰り返し行うような電子回路を搭載する場合には、片面ＦＰＣを使用することが多い。
【０００５】
ところで、ＦＰＣは、このＦＰＣに実装される電子回路と本体回路とを接続して電子回路と本体回路との間でクロック信号等の高周波電流を伝達するため、不要輻射が発生して周辺機器に電気的に悪影響を与えるため、不要輻射対策が施されている。
【０００６】
このような不要輻射対策としては、片面ＦＰＣの両面に電磁シールドを接着剤によって貼り付けることにより、不要輻射の発生を抑制することが一般的である（例えば、特許文献１参照）。
【０００７】
【特許文献１】
特開平７−１１１３７１号公報（第２頁、第３頁、図１）
【０００８】
【発明が解決しようとする課題】
しかしながら、このような片面ＦＰＣにあっては、片面ＦＰＣの両面に電磁シールドを接着剤によって貼り付けるようになっていたため、不要輻射の発生を抑えることができるが、厚みが増大してしまい、屈曲を繰り返し行う場合に破断等が発生し易く、耐屈曲性に弱いという問題があった。
【０００９】
本発明は、上記従来の問題を解決するもので、不要輻射が発生するのを抑制することができるとともに、耐屈曲性に強いフレキシブル配線基板および前記フレキシブル配線基板を備えた撮像装置を提供することを目的とするものである。
【００１０】
【課題を解決するための手段】
本発明のフレキシブル配線基板は、片面に電子回路が実装可能な実装面を有するとともに、前記実装面に前記電子回路に接続可能な配線パターンが形成された回路実装部と、前記回路実装部から前記配線パターンと共に延在し、延在方向端部に本体回路に接続可能な接続部が設けられた長尺部と、前記回路実装部から前記長尺部と異なる方向に延在し、前記実装面の背面に当接するように折り曲げられる折り曲げ部と、前記折り曲げ部に設けられた導電性の平面部材とを有するものから構成される。
【００１１】
このような構成により、電子回路が実装された回路実装部の実装面の背面に導電性の平面部材が当接するので、電子回路からの不要輻射を平面部材によって遮蔽することができ、すなわち、平面部材が電磁シールドの機能を果すことにより、不要輻射の発生を抑制することができる。
【００１２】
また、フレキシブル配線基板が、片面に配線パターンが形成された片面フレキシブル基板から構成されるので、屈曲を多く繰り返す場合でも破断し難く、耐屈曲性に強いフレキシブル配線基板を提供することができる。
【００１３】
また、本発明のフレキシブル配線基板は、前記回路実装部に設けられた複数の配線パターンの一部が前記アース線から構成されるとともに、前記平面部材がアース線に接続されたアース電極から構成される。
【００１４】
このような構成により、電子回路が実装された実装面の背面にアース電極が当接するため、配線パターンとアース電極で構成されるループ面積を小さくすることができ、不要輻射をより一層抑制することができる。
【００１５】
また、本発明のフレキシブル配線基板は、前記平板部材が前記回路実装部と略同一形状となるように構成される。
【００１６】
このような構成により、不要輻射を遮蔽することができる面積を増大させることができるため、不要輻射の発生をより一層抑制することができる。
【００１７】
また、本発明のフレキシブル配線基板は、前記折り曲げ部が前記実装面の背面に接着されるように構成される。
【００１８】
このような構成により、平面部材と実装面の背面を密着させることができ、不要輻射が電子回路から外部に漏れるのを防止することができる。
【００１９】
また、本発明のフレキシブル配線基板は、前記電子回路が実装された前記回路実装部を覆う導電性のハウジングを設けたものから構成される。
【００２０】
このような構成により、電子回路がハウジングによってシールドされるので、不要輻射の発生をより一層抑制することができる。
【００２１】
また、本発明の撮像装置は、片面に電子回路が実装可能な実装面を有するとともに、前記実装面に前記電子回路に接続可能な配線パターンが形成された回路実装部、前記回路実装部から前記配線パターンと共に延在し、延在方向端部に本体回路に接続可能な接続部が設けられた長尺部、前記回路実装部から前記長尺部と異なる方向に延在し、前記実装面の背面に当接するように折り曲げられる折り曲げ部、および前記折り曲げ部に設けられた導電性の平面部材を有するフレキシブル配線基板と、前記フレキシブル配線基板の前記回路実装部に実装される撮像素子とを備えたものから構成される。
【００２２】
このような構成により、電子回路が実装された回路実装部の実装面の背面に導電性の平面部材が当接するので、電子回路からの不要輻射を平面部材によって遮蔽することができ、すなわち、平面部材が電磁シールドの機能を果すことにより、不要輻射の発生を抑制することができる。
【００２３】
そして、このようなフレキシブル配線基板に撮像素子を搭載することにより、不要輻射の発生を抑制することができる撮像装置を提供することができる。
【００２４】
【発明の実施の形態】
以下、本発明の実施の形態を図面に基づいて説明する。
図１、図２は本発明のフレキシブル配線基板および撮像装置の第１の実施の形態を示す図である。
【００２５】
まず、構成を説明する。図１において、ＦＰＣ１は非導電性のポリイミド等からなるベース２の片面に銅箔からなる配線パターン３が形成されたものから構成されており、回路実装部４、長尺部５および接続部６の部分から構成されている。なお、このＦＰＣ１は、例えばデジタルカメラ等の撮像装置に内蔵されるものである。
【００２６】
回路実装部４の実装面４ａにはＣＣＤ撮像素子７、Ａ／Ｄコンバータ８、画像補正回路９等の電子回路が実装されており、このＣＣＤ撮像素子７、Ａ／Ｄコンバータ８、画像補正回路９の端子は配線パターン３上に接続されている。
【００２７】
長尺部５は回路実装部４から配線パターン３と共に延在しており、接続部６は長尺部５の延在方向端部に設けられ、デジタルカメラの図示しない本体回路に配線パターン３が接続されるようになっている。したがって、ＣＣＤ撮像素子７、Ａ／Ｄコンバータ８、画像補正回路９は本体回路と配線パターン３を介して接続される。
【００２８】
一方、回路実装部４には折り曲げ部１０が設けられており、この折り曲げ部１０は回路実装部４から長尺部５と異なる方向に延在している。この折り曲げ部１０には銅箔からなるアース電極１１が設けられており、このアース電極１１は回路実装部４と略同一形状に形成されている。
【００２９】
折り曲げ部１０は回路実装部４の実装面４ａの背面に折り曲げられるようになっており、折り曲げ部１０は実装面４ａの背面に折り曲げられたときに接着剤１２によって実装面４ａの背面に固定され、アース電極１１の全面が回路実装部４に当接するようになっている。なお、配線パターン３の一部はＣＣＤ撮像素子７、Ｄ／Ａコンバータ８、画像補正回路９等を接地するためにアース電極１１に接続されるアース線３ａから構成されている。
【００３０】
このような構成を有するＦＰＣ１は、ＣＣＤ撮像素子７と本体回路の間に介装されており、ＣＣＤ撮像素子７はピントを合わせるために移動されることから、ＣＣＤ撮像素子７が光軸方向に移動する度に屈曲される。
【００３１】
本実施の形態では、ＦＰＣ１を片面ＦＰＣから構成しているため、屈曲を多く繰り返す場合でも破断し難く、耐屈曲性に強いＦＰＣ１を提供することができる。
【００３２】
また、ＣＣＤ撮像素子７等の電子回路が実装された回路実装部４の実装面の背面４ａにアース電極１１を当接させたので、電子回路からの不要輻射をアース電極１１によって遮蔽することができ、すなわち、アース電極１１が電磁シールドの機能を果すことにより、不要輻射の発生を抑制することができる。
【００３３】
また、回路実装部４の実装面４ａの背面にアース電極１１を当接させているため、配線パターン３とアース電極１１で構成されるループ面積を小さくすることができ、不要輻射をより一層抑制することができる。
【００３４】
また、アース電極１１を回路実装部４と略同一形状となるように構成したため、不要輻射を遮蔽することができる面積を増大させることができ、不要輻射の発生をより一層抑制することができる。
【００３５】
また、折り曲げ部１０を実装面４ａの背面に接着剤１２によって接着したため、アース電極１１と実装面４ａの背面を密着させることができ、不要輻射が電子回路から外部に漏れるのを防止することができる。
【００３６】
また、本実施の形態では、ＦＰＣ１にＣＣＤ撮像素子７を搭載した撮像装置を構成することができるため、不要輻射の発生を抑制することができる撮像装置を提供することができる。
【００３７】
なお、本実施の形態では、デジタルカメラに内蔵されたＦＰＣ１を例にしているが、このＦＰＣ１はコンピュータ機器やＯＡ機器等の各種機器に適用することができることは言うまでもない。
【００３８】
図３、図４は本発明のフレキシブル配線基板および撮像装置の第２の実施の形態を示す図である。なお、本実施の形態では、ハウジングを設けた点が第１の実施の形態と異なり、第１の実施の形態と同様の構成には同一番号を付して説明を省略する。
【００３９】
図３、図４において、回路実装部４および折り曲げ部１０には導電性のハウジング２１が取付けられており、このハウジング２１はＣＣＤ撮像素子７等の電子回路が実装された回路実装部４を覆う本体部２２と、本体部２２に設けられＣＣＤ撮像素子７が突出するように開口する開口部２２ａと、本体部２１の４角から突出し、半田２４によって折り曲げ部１０が接着固定される４つの脚部２３とを備えている。
【００４０】
本実施の形態では、折り曲げ部１０を回路実装部４の実装面４ａの背面に折り曲げて接着剤１２によって実装面４ａの背面に接着した後、半田２４によって折り曲げ部１０にハウジング２１を接着固定することにより、ハウジング２１を回路実装部４と折り曲げ部１０に取付けるようになっている。
【００４１】
本実施の形態では、電子回路をハウジング２１によってシールドすることができるので、不要輻射の発生をより一層抑制することができる。
【００４２】
【発明の効果】
本発明によれば、不要輻射が発生するのを抑制することができるとともに、耐屈曲性に強いフレキシブル配線基板および前記フレキシブル配線基板を備えた撮像装置を提供することができる。
【図面の簡単な説明】
【図１】本発明の第１の実施の形態の撮像装置に設けられたフレキシブル配線基板の構成図
【図２】本発明の第１の実施の形態のフレキシブル配線基板の側面図
【図３】本発明の第２の実施の形態の撮像装置に設けられたフレキシブル配線基板の側面図
【図４】本発明の第２の実施の形態のフレキシブル配線基板に取付けられるハウジングの斜視図
【符号の説明】
１　　ＦＰＣ（フレキシブル配線基板）
３　　配線パターン
４　　回路実装部
４ａ　　実装面
５　　長尺部
６　　接続部
１０　　折り曲げ部
１１　　アース電極
２１　　ハウジング
【図１】
2004128376.tif 000003
【図２】
2004128376.tif 000004
【図３】
2004128376.tif 000005
【図４】
2004128376.tif 000006